(57)【要約】【課題】  既設の覗き窓に容易に後付けできる覗き窓カバーを提供する。【解決手段】  マグネットで構成された円柱状のベース部材２に縮径部３ｂと拡径部３ｃを有する楕円状のカバー３を枢支し、鋼製のドアＤの室内面の覗き窓Ｓの直上に磁着する。覗き窓Ｓの未使用時にはカバー３を下方に回動させて拡径部３ｃで覗き窓Ｓを閉塞し、外部から室内を見えなくする。使用する際はカバー３を上方へ回動させて覗き窓Ｓを開放する。このように既設の覗き窓Ｓに容易に後付けでき、ベース部材２はマグネットで構成されているから、鋼製のドアＤへの取り付け位置の変更や調整を自在に行える。【選択図】図３
2006188819.tif 000002
【特許請求の範囲】
【請求項１】
ドアの既設の覗き窓の室内側に同覗き窓を開閉自在に被覆できるように取り付けられる覗き窓カバーであって、覗き窓の近接位置にベース部材を取り付け、同ベース部材に覗き窓より拡幅のカバーの一部を枢支し、カバーの回動で覗き窓を開閉できるようにしたことを特徴とする覗き窓カバー。
【請求項２】
ベース部材が覗き窓の直近位置に取り付けられる小さい円柱状で、カバーが縮径部と拡径部を備えた楕円状の平板で、同カバーの縮径部をベース部材に枢支して拡径部で覗き窓を閉塞するようにした請求項１記載の覗き窓カバー。
【請求項３】
ベース部材が覗き窓を囲むように取り付けられる枠状で、カバーがベース部材と同じ外形の平板状で、ベース部材とカバーの直角部同士を回動自在に枢支した請求項１記載の覗き窓カバー。
【請求項４】
ベース部材とカバーの重合面の角部に互いが嵌合する小さい凹凸部を形成し、凹凸部を互い嵌合させて重合位置の位置決めをするとともにカバーの動き止めとした請求項３記載の覗き窓カバー。
【請求項５】
ドアの既設の覗き窓の室内側に同覗き窓を開閉自在に被覆できるように取り付けられる覗き窓カバーであって、枠状のベース部材を覗き窓を囲むように取り付け、同ベース部材と同じ外形の平板状のカバーとベース部材の一辺同士を蝶番で回動自在に取り付け、カバーの回動で覗き窓を開閉できるようにしたことを特徴とする覗き窓カバー。
【請求項６】
ドアの既設の覗き窓の室内側に同覗き窓を開閉自在に被覆できるように取り付けられる覗き窓カバーであって、上下辺の内側にガイド溝を形成した枠状のベース部材を覗き窓を囲むように取り付け、同ベース部材の上下のガイド溝に平板状のカバーの上下端を差し込んで横方向にスライド可能に取り付け、カバーのスライドで覗き窓を開閉できるようにしたことを特徴とする覗き窓カバー。
【請求項７】
枠状のベース部材が所定厚みを有するもので、カバーの閉塞時にベース部材で囲まれた内部に小物を収容できる空間を形成した請求項３〜６いずれか記載の覗き窓カバー。
【請求項８】
ベース部材の一部又は全部をマグネットで構成し、鋼製のドア面に脱着自在に磁着できるようにした請求項１〜７いずれか記載の覗き窓カバー。
【請求項９】
カバーの閉塞時に同カバーをベース部材に固定する固定手段を設けた請求項１〜８いずれか記載の覗き窓カバー。
【請求項１０】
カバーがベース部材から外れた際にブザー又はランプにより警報する警報手段を設けた請求項１〜９いずれか記載の覗き窓カバー。
【請求項１１】
カバー又はベース部材に香水を入れた匂い袋又は香水を含浸させた匂い紙を設けた請求項１〜１０いずれか記載の覗き窓カバー。
【発明の詳細な説明】
【技術分野】
【０００１】
本発明は、ドアを閉めた状態で室内から外部の様子を見ることができる覗き窓において、未使用時に外部から室内を見えなくする覗き窓カバーに関する。
【背景技術】
【０００２】
従来の覗き窓カバーとしては、ドアに穿孔して取り付けた筒状のスコープの室内側にスコープの室内面を直接閉塞するカバーを取付リングで開閉自在に装着した構造のものが知られている（特許文献１参照）。このカバーの閉塞により外部から室内の様子を覗くことができないようにしている。ところで、このカバーはスコープに直接取り付ける構造であるから、既設の覗き窓に後付けできるものではなかった。
【特許文献１】特開２００２−３０８７５号公報
【発明の開示】
【発明が解決しようとする課題】
【０００３】
本発明が解決しようとする課題は、従来のこれらの問題点を解消し、既設の覗き窓に容易に後付けできる覗き窓カバーを提供することにある。
【課題を解決するための手段】
【０００４】
かかる課題を解決した本発明の構成は、
１）  ドアの既設の覗き窓の室内側に同覗き窓を開閉自在に被覆できるように取り付けられる覗き窓カバーであって、覗き窓の近接位置にベース部材を取り付け、同ベース部材に覗き窓より拡幅のカバーの一部を枢支し、カバーの回動で覗き窓を開閉できるようにしたことを特徴とする覗き窓カバー
２）  ベース部材が覗き窓の直近位置に取り付けられる小さい円柱状で、カバーが縮径部と拡径部を備えた楕円状の平板で、同カバーの縮径部をベース部材に枢支して拡径部で覗き窓を閉塞するようにした前記１）記載の覗き窓カバー
３）  ベース部材が覗き窓を囲むように取り付けられる枠状で、カバーがベース部材と同じ外形の平板状で、ベース部材とカバーの直角部同士を回動自在に枢支した前記１）記載の覗き窓カバー
４）  ベース部材とカバーの重合面の角部に互いが嵌合する小さい凹凸部を形成し、凹凸部を互い嵌合させて重合位置の位置決めをするとともにカバーの動き止めとした前記３）記載の覗き窓カバー
５）  ドアの既設の覗き窓の室内側に同覗き窓を開閉自在に被覆できるように取り付けられる覗き窓カバーであって、枠状のベース部材を覗き窓を囲むように取り付け、同ベース部材と同じ外形の平板状のカバーとベース部材の一辺同士を蝶番で回動自在に取り付け、カバーの回動で覗き窓を開閉できるようにしたことを特徴とする覗き窓カバー
６）  ドアの既設の覗き窓の室内側に同覗き窓を開閉自在に被覆できるように取り付けられる覗き窓カバーであって、上下辺の内側にガイド溝を形成した枠状のベース部材を覗き窓を囲むように取り付け、同ベース部材の上下のガイド溝に平板状のカバーの上下端を差し込んで横方向にスライド可能に取り付け、カバーのスライドで覗き窓を開閉できるようにしたことを特徴とする覗き窓カバー
７）  枠状のベース部材が所定厚みを有するもので、カバーの閉塞時にベース部材で囲まれた内部に小物を収容できる空間を形成した前記３）〜６）いずれか記載の覗き窓カバー
８）  ベース部材の一部又は全部をマグネットで構成し、鋼製のドア面に脱着自在に磁着できるようにした前記１）〜７）いずれか記載の覗き窓カバー
９）  カバーの閉塞時に同カバーをベース部材に固定する固定手段を設けた前記１）〜８）いずれか記載の覗き窓カバー
１０）  カバーがベース部材から外れた際にブザー又はランプにより警報する警報手段を設けた前記１）〜９）いずれか記載の覗き窓カバー
１１）  カバー又はベース部材に香水を入れた匂い袋又は香水を含浸させた匂い紙を設けた前記１）〜１０）いずれか記載の覗き窓カバー
にある。
【発明の効果】
【０００５】
本発明によれば、従来のようにカバーを覗き窓に直接取り付けせず、その近接位置のドア面に取り付けたベース部材にカバーを開閉自在に取り付けた構造であるから、ドアへの特段の加工等を要することなく既設の覗き窓に容易に後付けできる。
【発明を実施するための最良の形態】
【０００６】
本発明のベース部材は、ドアが鋼製の場合は一部又は全部をマグネットで構成して磁着できるようにし、ドアが木製等の場合は木ネジ又は両面粘着テープ等で強固に取り付ける。また、マグネットで磁着したものにおいて、外れ難くするためにネジ，ボルト等の手段で強固に取り付けるようにすれば、防犯上より安全になる。カバーの閉塞時にカバーをベース部材に手回しネジ等の固定手段でロックし、不在時や就寝時の防犯性を高めるのが望ましい。以下、本発明の各実施例を図面に基づいて具体的に説明する。
【実施例１】
【０００７】
図１〜３に示す実施例１は、小さい円柱状のベース部材に楕円状のカバーを枢支した構造の覗き窓カバーの例である。図１は実施例１の覗き窓カバーの分解斜視図、図２は実施例１の覗き窓カバーの縦断面図、図３は実施例１の覗き窓カバーの使用状態を示す説明図である。図中、１は覗き窓カバー、２はベース部材、２ａは枢支部、２ｂはネジ孔、３はカバー、３ａは枢支孔、３ｂは縮径部、３ｃは拡径部、３ｄは取付枠、４はキャップ、５はナイロンワッシャー、６はＥリング、７は匂い紙、Ｄはドア、Ｓは覗き窓である。
【０００８】
実施例１の覗き窓カバー１は、図１，２に示すように鋼製のドアＤに設けられている覗き窓Ｓの室内側直近位置（図２で左側）に枢支部２ａとネジ孔２ｂを備えたマグネットからなる小さい円柱状のベース部材２を脱着自在に磁着し、同ベース部材２の枢支部２ａにナイロンワッシャー５を介して楕円状のカバー３の縮径部３ｂに形成した枢支孔３ａを嵌入してＥリング６で固定し、枢支孔３ａから突出した枢支部２ａにキャップ４を固着し、カバー３の背面に備えた取付枠３ｄで香水を含浸させた匂い紙７を取り付けている。
【０００９】
図３（ａ）に示すように、覗き窓Ｓの未使用時にはカバー３を下方に回動させて拡径部３ｃで覗き窓Ｓを閉塞し、外部から室内を見えなくする。使用する際は、図３（ｂ）に示すようにカバー３を上方へ回動させて覗き窓Ｓを開放する。このように、実施例１では既設の覗き窓Ｓに容易に後付けでき、ベース部材２はマグネットで構成されているから、鋼製のドアＤへの取り付け位置の変更や調整を自在に行える。また、カバー３の背面の匂い紙７から香水の匂いが放散して玄関の室内空間を改善できる。また、ベース部材２にはネジ孔２ｂを有しており、木製等の非金属製のドアＤにもネジで容易に取り付けできる。
【実施例２】
【００１０】
図４〜１０に示す実施例２は、枠状のベース部材に同ベース部材と同じ外形の平板状のカバーを角部同士で枢支した覗き窓カバーの例である。図４は実施例２の覗き窓カバーの分解斜視図、図５は実施例２の覗き窓カバーの正面図、図６は実施例２の覗き窓カバーの背面図、図７は図５のＡ−Ａ断面図、図８は図５のＢ−Ｂ断面図、図９は実施例２の覗き窓カバーの取付状態を示す縦断面図、図１０は実施例２の覗き窓カバーの使用状態を示す説明図である。図中、１１は覗き窓カバー、１２はベース部材、１２ａはマグネット、１２ｂは開口部、１２ｃは凸部、１２ｄ，１２ｅはネジ孔、１３はカバー、１３ａは凹部、１３ｂは透明パネル、１３ｃは凹所、１３ｄは写真、１３ｅは小突起、１３ｈは透明パネル１３ｂの位置決め用嵌合突起、１４はネジ、１５は匂い紙、１６はガードプレート、１６ａは匂い孔、１６ｂはネジ孔、１７は接点、１８は警報回路、１８ａはコントローラ、１８ｂは電池、１８ｃはブザー、１８ｄはランプ、１８ｅは配線である。
【００１１】
実施例２の覗き窓カバー１１は、図４〜８に示すように角部にネジ孔１２ｄ，１２ｅと凸部１２ｃが形成された枠状のベース部材１２に同ベース部材１２と同じ外形の平板状のカバー１３を補強板である金属製のガードプレート１６を介してネジ１４により回動自在に枢支し、カバー１３の閉塞時に凸部１２ｃと凹部１３ａとが嵌合できるようにしている。ベース部材１２の裏面の各辺部にはマグネット１２ａをベース部材１２の裏面より若干突出するように埋設している。カバー１３の表面側には凹所１３ｃを形成して写真１３ｄと香水を含浸した匂い紙１５を上方から挿入し、アクリル樹脂の透明パネル１３ｂで被覆している。透明パネル１３ｂの背面には小突起１３ｅを形成し、小突起１３ｅで透明パネル１３ｂとの間隔を形成して写真１３ｄの貼り付きを防止できるようにしている。ガードプレート１６には複数の匂い孔１６ａを放射状に形成し、匂い紙１５の香水の匂いを放散できるようにしている。また、カバー１３の閉塞時にカバー１３とベース部材１２の枢支部分に通電可能な接点１７を埋設し、接点１７同士の離間時にブザー１８ｃやランプ１８ｄで警報する外付けの警報回路１８を両面テープ等でドアＤの表面に貼り付けている。
【００１２】
この覗き窓カバー１１を、図９に示すように鋼製のドアＤに設けられている覗き窓Ｓの室内側に覗き窓Ｓがベース部材１２の開口部１２ｂに配置されるようにマグネット１２ａで磁着し、覗き窓Ｓの使用時に図１０に示すようにカバー１３を上方へ開放する。このとき匂い紙１５の香水の匂いがガードプレート１６の匂い孔１６ａを通じて外部に放散し、玄関の室内空間を改善できる。未使用時はカバー１３をベース部材１２の外形に合わせるように重合し、凸部１２ｃと凹部１３ａを互いに嵌合させて閉塞状態を保持する。閉塞時はカバー１３の写真１３ｄにより覗き窓Ｓの場所を意識させることなくインテリアにもなる。また、ベース部材１２にネジ孔１２ｅを形成しているから、木製等の非金属製のドアＤにもネジで容易に取り付けできる。また、外部から細長の棒等の差し込まれても金属製のガードプレート１６でカバー１３の外れを防止又は困難にし、もしカバー１３が外れると接点１７同士が離間してブザー１８ｃやランプ１８ｄで警報する。
【００１３】
図１１に示すのは、実施例２の覗き窓カバーの他の例である。図１１は実施例２の他の例の覗き窓カバーの使用状態を示す説明図である。図中、１２ｆはネジ孔、１３ｆはスリット、１３ｇは匂い袋、１９はネジ、２０は手回しネジである。
【００１４】
図１１に示す覗き窓カバー１１は、木製のドアＤに取り付けられるもので、ベース部材１２の角部に備えたネジ孔１２ｅにネジ１９でドアＤの表面に螺着している。カバー１３の上辺にはスリット１３ｆを形成して内部に設けた空間に香水を入れた匂い袋１３ｇを備え、玄関の室内空間を改善できるようにしている。カバー１３の閉塞時には手回しネジ２０でベース部材１２のネジ孔１２ｆに螺合させてロックし、外部から細長の棒等の差し込みによる脱落や破損を防止して防犯性を高めている。その他、符号、構成は実施例２と同じである。
【実施例３】
【００１５】
図１２に示す実施例３は、ベース部材に所定厚みを有するものを用い、カバーの閉塞時に内部に小物を収容できる空間を形成した覗き窓カバーの例である。図１２は実施例３の覗き窓カバーの使用状態を示す説明図である。図中、２１は覗き窓カバー、２２はベース部材、２２ａは小物収容空間、２３はカバー、２３ａは透明パネル、２３ｂは写真、２４は蝶番、２５は受け具、２６はフック、２７は吊具、２８は小物である。
【００１６】
実施例３の覗き窓カバー１１は、所定厚みを有する枠状のベース部材２２に写真２３ｂを透明パネル２３ａで取り付けた平板状のカバー２３をその一辺で蝶番２４により開閉自在に取り付けている。ベース部材２２とカバー２３とは受け具２５とフック２６により閉塞状態を保持できるようにしている。カバー２３を閉塞した状態では内部に小物収容空間２２ａが形成され、鍵等の小物２８を吊下する吊具２７を複数取り付けている。
【００１７】
この覗き窓カバー２１をドアＤの室内面側に覗き窓Ｓがベース部材２２の枠内で且つ吊下する小物２８が邪魔しない位置に取り付ける。ドアＤが鋼製の場合はマグネットを用い、木製等の場合はネジで螺着する。覗き窓Ｓを使用する場合はカバー２３を開放し、未使用時はカバー２３を閉塞して受け具２５とフック２６とで係合する。閉塞時はカバー２３の写真２３ｂにより覗き窓Ｓの場所を意識させず、また小物２８の収納に便利である。また、実施例２の図４のように写真２３ｂの後方に香水を含浸させた匂い紙と補強板である金属製のガードプレートを配置させてもよい。
【実施例４】
【００１８】
図１３に示す実施例４は、カバーを横方向にスライドさせて開閉できるようにした例である。図１３は実施例３の覗き窓カバーの使用状態を示す説明図である。図中、３１は覗き窓カバー、３２はベース部材、３２ａは開口部、３２ｂはガイド溝、３２ｃはスリット、３２ｄは取付片、３２ｅはマグネット、３３はカバー、３３ａはガイド、３３ｂは把手、３３ｃはネジ孔、３３ｄは写真、３３ｅは透明パネル、３３ｆは突起、３４はネジ、３５は手回しネジである。
【００１９】
図１３に示す覗き窓カバー３１は、枠状のベース部材３２の上辺にスリット３２ｃを形成し、上下辺と左側辺の内側にガイド溝３２ｂを形成し、上下辺にネジ１４でドアＤに螺着する取付片３２ｄを形成し、裏面にマグネット３２ｅを取り付けている。このベース部材３２のガイド溝３２ｂに上下端をガイド３３ａとしたカバー３３を挿入し、把手３３ｂで横方向にスライドさせて開閉できるようにしている。カバー３３の上辺の左側端部には突起３３ｆを形成してベース部材３２のスリット３２ｃを摺動し、開閉時及び閉塞時のカバー３３の振れを防止できるようにしている。また、実施例２の図４のように写真３３ｄの後方に香水を含浸させた匂い紙と補強板である金属製のガードプレートを配置させてもよい。
【００２０】
この覗き窓カバー３１をドアＤの室内面側に覗き窓Ｓがベース部材３２の開口部３２ａの枠内に配置されるようにネジ３４で取り付ける。ドアＤが鋼製の場合はマグネット３２ｅを用いて磁着する。覗き窓Ｓを使用する場合はカバー３３の把手３３ｂを持って横方向へスライドさせてカバー３３を開放し、未使用時はカバー３３を閉塞して手回しネジ３５をネジ孔３３ｃに螺合してロックする。閉塞時はカバー３３の写真３３ｄにより覗き窓Ｓの場所を意識させず、外部から細長の棒等を差し込まれても手回しネジ３５のロックにより防犯性に優れる。
【産業上の利用可能性】
【００２１】
本発明の覗き窓カバーは、住宅の玄関ドアに一般的に備えられている既設の覗き窓のカバーに用いられる。
【図面の簡単な説明】
【００２２】
【図１】実施例１の覗き窓カバーの分解斜視図である。
【図２】実施例１の覗き窓カバーの縦断面図である。
【図３】実施例１の覗き窓カバーの使用状態を示す説明図である。
【図４】実施例２の覗き窓カバーの分解斜視図である。
【図５】実施例２の覗き窓カバーの正面図である。
【図６】実施例２の覗き窓カバーの背面図である。
【図７】図５のＡ−Ａ断面図である。
【図８】図５のＢ−Ｂ断面図である。
【図９】実施例２の覗き窓カバーの取付状態を示す縦断面図である。
【図１０】実施例２の覗き窓カバーの使用状態を示す説明図である。
【図１１】実施例２の他の例の覗き窓カバーの使用状態を示す説明図である。
【図１２】実施例３の覗き窓カバーの使用状態を示す説明図である。
【図１３】実施例４の覗き窓カバーの使用状態を示す説明図である。
【符号の説明】
【００２３】
１  覗き窓カバー
２  ベース部材
２ａ  枢支部
２ｂ  ネジ孔
３  カバー
３ａ  枢支孔
３ｂ  縮径部
３ｃ  拡径部
３ｄ  取付枠
４  キャップ
５  ナイロンワッシャー
６  Ｅリング
７  匂い紙
１１  覗き窓カバー
１２  ベース部材
１２ａ  マグネット
１２ｂ  開口部
１２ｃ  凸部
１２ｄ，１２ｅ，１２ｆ  ネジ孔
１３  カバー
１３ａ  凹部
１３ｂ  透明パネル
１３ｃ  凹所
１３ｄ  写真
１３ｅ  小突起
１３ｆ  スリット
１３ｇ  匂い袋
１３ｈ  位置決め用嵌合突起
１４  ネジ
１５  匂い紙
１６  ガードプレート
１６ａ  匂い孔
１６ｂ  ネジ孔
１７  接点
１８  警報回路
１８ａ  コントローラ
１８ｂ  電池
１８ｃ  ブザー
１８ｄ  ランプ
１８ｅ  配線
１９  ネジ
２０  手回しネジ
２１  覗き窓カバー
２２  ベース部材
２２ａ  小物収容空間
２３  カバー
２３ａ  透明パネル
２３ｂ  写真
２４  蝶番
２５  受け具
２６  フック
２７  吊具
２８  小物
３１  覗き窓カバー
３２  ベース部材
３２ａ  開口部
３２ｂ  ガイド溝
３２ｃ  スリット
３２ｄ  取付片
３２ｅ  マグネット
３３  カバー
３３ａ  ガイド
３３ｂ  把手
３３ｃ  ネジ孔
３３ｄ  写真
３３ｅ  透明パネル
３３ｆ  突起
３４  ネジ
３５  手回しネジ
Ｄ  ドア
Ｓ  覗き窓
【図１】
2006188819.tif 000003
【図２】
2006188819.tif 000004
【図３】
2006188819.tif 000005
【図４】
2006188819.tif 000006
【図５】
2006188819.tif 000007
【図６】
2006188819.tif 000008
【図７】
2006188819.tif 000009
【図８】
2006188819.tif 000010
【図９】
2006188819.tif 000011
【図１０】
2006188819.tif 000012
【図１１】
2006188819.tif 000013
【図１２】
2006188819.tif 000014
【図１３】
2006188819.tif 000015